(57)【特許請求の範囲】
【請求項１】
Ｘ線ＣＴ装置を収納可能なＣＴ室、および前記のＸ線ＣＴ装置を作動させるために必要な電源を収納可能な電源室を備えたコンテナであって、
前記の電源室および前記のＣＴ室に挟まれた位置には、前記のＸ線ＣＴ装置を操作するための操作室を位置させるとともに、
その操作室およびＣＴ室の間には、Ｘ線ＣＴ装置が作動時に発するＸ線を遮蔽可能な遮蔽壁と、
前記のＸ線ＣＴ装置が取得した画像データを遠隔地へ送信可能なデータ送信装置と、
前記のＣＴ室、電源室および操作室には、各室の気温や湿度などの環境データを取得可能な環境監視装置と、
前記のＣＴ室、電源室および操作室における少なくとも気温を変更可能な空気調和機と、を備え、
前記のデータ送信装置は、前記の環境データを遠隔地へ送信可能とした
医療用コンテナ。
【請求項２】
前記のＣＴ室は、Ｘ線遮蔽が可能な遮蔽壁で覆われているとともに、ＣＴ室の内壁の隅は曲面を形成した請求項１に記載の医療用コンテナ。
【請求項３】
前記のＸ線ＣＴ装置は、検査を受ける被検査者が横たわる寝台と、その寝台に対して長手方向を相対的に移動するスキャナ本体とを備え、
その寝台の長手方向がコンテナの長手方向と一致するように寝台およびスキャナ本体を設置した
請求項１または請求項２のいずれかに記載の医療用コンテナ。
【請求項４】
前記の操作室には、コンテナ内への出入りを可能とするための出入り口を備え、
前記の遮蔽壁には、前記のＣＴ室と前記の操作室との間で前記Ｘ線ＣＴ装置での被検査者が行き来可能とする扉と、前記の操作室から前記のＣＴ室の中を目視できるようにするための窓と、を備えた
請求項１から請求項３のいずれかに記載の医療用コンテナ。
【請求項５】
前記のスキャナ本体は、前記の遮蔽壁から遠い側に位置するように設置した
請求項４に記載の医療用コンテナ。
【請求項６】
コンテナにおけるＣＴ室に対応する側壁には、スキャナ本体に相当する位置へ、観音開きとなるメンテナンス用扉を備えた
請求項５に記載の医療用コンテナ。
【請求項７】
前記のＸ線ＣＴ装置を遠隔地から操作可能な操作データを受信可能な操作データ受信装置を備えた
請求項１から請求項６のいずれかに記載の医療用コンテナ。
【発明の詳細な説明】
【技術分野】
【０００１】
本発明は、医療機器を搭載して移動が容易な医療用コンテナに関する。
【背景技術】
【０００２】
特許文献１には、大規模な災害の発生地や紛争勃発地域、へき地等、医療設備が行き届かない地域にて緊急的に多くのけが人や病人が発生した際に、比較的多数の患者を総合的に診察、医療処置が可能な移動病院システムが開示されている。
この移動病院システムは、いくつかのコンテナ車両に対して、水を供給する給水手段と、電源を供給する発電手段と、該発電手段に燃料を給油する給油手段と、を具備する。
【０００３】
特許文献２には、移動可能なトレーラ上に検査用Ｘ線ＣＴ装置が搭載されたＸ線ＣＴ検査車が開示されている。この技術は、自由に移動できて、貨物内部の状態（相対密度分布，構造）を正確に画像化して表示することを目的としている。
【０００４】
特許文献としては検索できなかったが、「野外手術システム」として、トラックや輸送艦へ手術室を装備して移動可能としたものが実現している。
【先行技術文献】
【特許文献】
【０００５】
【特許文献１】特開２０００−１４２２１１号公報
【特許文献２】特開平８−１２７２８２号公報
【発明の概要】
【発明が解決しようとする課題】
【０００６】
医療処置の前提となる検査が必要な場合、患部の状態確認が可能なＸ線ＣＴ装置が多用されている。そのＸ線ＣＴ装置は、Ｘ線を用いるので、被験者を除いてＸ線を浴びないように、遮蔽性能を確保しなければならない。
【０００７】
したがって、Ｘ線ＣＴ装置を搭載した移動可能な設備を提供しようとする場合、非常に大がかりな設備となってしまう。特許文献１に開示された技術は、こうした点が配慮された技術とは言い難く、現実の製品としては、現存していないようである。
輸送艦ほどの大きな空間およびそれを異動させることができる駆動設備を備えていれば、Ｘ線ＣＴ装置を搭載した移動可能な設備を提供することは可能であろう。しかし、トレーラほどの自在移動性は確保できない。
加えて、Ｘ線ＣＴ装置に対して独立した電源を確保することは、物理的な制約があり、特許文献１、２に開示された技術では困難であった。
【０００８】
また、被験者に対する衛生状態の確保、被験者を原因とする医療関係者への衛生状態の確保、という点から、Ｘ線ＣＴ装置を収納できる空間が消毒作業をしやすいものとしたい、という要望が医療現場には存在する。そうした要望を配慮しつつ、Ｘ線ＣＴ装置を搭載したトレーラでの移動が可能な設備を提供することは、困難であった。
【０００９】
第一の発明が解決すべき課題は、自在な移動性（運搬性）を確保しつつ、Ｘ線ＣＴ装置を独立して作動させることができる設備を提供することにある。
【課題を解決するための手段】
【００１０】
（第一の発明）
第一の発明は、Ｘ線ＣＴ装置(30)を収納可能なＣＴ室(21)、および前記のＸ線ＣＴ装置(30)を作動させるために必要な電源を収納可能な電源室(22)を備えたコンテナ(20)に係る。
前記の電源室(22)および前記のＣＴ室(21)に挟まれた位置には、前記のＸ線ＣＴ装置(30)を操作するための操作室(23)を位置させるとともに、その操作室(23)および前記のＣＴ室(21)の間には、前記のＸ線ＣＴ装置(30)が作動時に発するＸ線を遮蔽可能な遮蔽壁(鉛入り壁24)を備える。
【００１１】
（用語説明）
「コンテナ」とは、４０ｆｔ型と呼ばれるＩＳＯ規格の海上コンテナ、またはその４０ｆｔ型よりも内側空間寸法が大きな輸送用コンテナである。  本発明に係る「医療用コンテナ」は、Ｘ線ＣＴ装置(30)を予め収納したコンテナとして提供する場合の他、Ｘ線ＣＴ装置(30)を収納していないコンテナとして提供しても、本願発明に含まれることを意図している。
「Ｘ線ＣＴ装置」とは、患部を透過させたＸ線のデータから画像を得るための装置である。一般には、アナログのＸ線データを画像はデジタルデータにまで加工する。
「電源室(22)」は、発電機(40)を内装する場合の他、外部電源と接続してその変圧などを実行できる中継機器を内装する場合、蓄電池を内装する場合などを選択できるものとする。
【００１２】
（作用）
電源室(22)に電源（たとえば発電機40）を設置し、ＣＴ室(21)にてＸ線ＣＴ装置(30)を設置し、操作室(23)にＸ線ＣＴ装置(30)を操作するための設備を設置する。  電源(40)から電気エネルギをＸ線ＣＴ装置(30)へ供給して作動させれば、Ｘ線ＣＴ装置(30)を独立して作動させることができる。
Ｘ線ＣＴ装置(30)を独立して作動させることができるので、このコンテナ(20)を輸送した場所において、Ｘ線ＣＴ装置(30)を用いた検査が可能である。
【００１３】
（第一の発明のバリエーション１）
第一の発明は、以下のように形成すると、より好ましい。
すなわち、前記のＣＴ室(21)は、前記の遮蔽壁(24)以外の五面もＸ線の遮蔽が可能な遮蔽壁で覆われているとともに、  前記のＣＴ室(21)の内壁の隅は曲面を形成する。
上記の「曲面」は、たとえば、床の最上面を形成する床材を壁の所定高さまで立ち上げることで、半径５〜１０ミリメートル程度のアールを形成する。
【００１４】
（作用）
ＣＴ室(21)の内壁の隅は角張っておらず、曲面となっているため、清掃がしやすく、清掃後にも早く乾燥する。そのため、雑菌の繁殖を抑制しやすく、感染症の原因を減らすことに寄与できる。
【００１５】
（第一の発明のバリエーション２）
第一の発明は、以下のように形成すると、より好ましい。
すなわち、前記のＸ線ＣＴ装置(30)は、検査を受ける被検査者が横たわる寝台(32)と、その寝台(32)に対して長手方向を相対的に移動するスキャナ本体(31)とを備える。その寝台(32)の長手方向がコンテナ(20)の長手方向と一致するように、寝台(32)およびスキャナ本体(31)を設置する。
なお、「スキャナ本体(31)」について、「寝台(32)に対して長手方向を相対的に移動する」としたのは、後述する実施形態のように寝台(32)がスキャナ本体(31)に対して移動する場合の他、スキャナ本体(31)が寝台(32)に対して移動しても良いし、スキャナ本体(31)および寝台(32)が互いに移動しても良い、という趣旨である。
【００１６】
（作用）
寝台(32)の長手方向は、ＣＴ室(21)へ収納すべき部材の中で、最も長い寸法である。これをコンテナ(20)の長手方向と一致するように設置したことで、寝台(32)およびスキャナ本体(31)を合理的に配置することとなる。たとえば、コンテナ(20)の幅寸法が４０ｆｔ型にて足りることとなり、コンテナ(20)の選択、およびその運搬方法についての選択肢を狭めなくて済む。
【００１７】
（第一の発明のバリエーション３）
第一の発明は、以下のように形成すると、より好ましい。
すなわち、前記の操作室(23)にはコンテナ(20)内への出入りを可能とするための出入り口（横扉29）を備える。
前記の遮蔽壁(鉛入り壁24)には、前記のＣＴ室(21)と前記の操作室(23)との間で前記Ｘ線ＣＴ装置(30)での被検査者が行き来可能とする扉（鉛入り扉25）と、前記の操作室(23)から前記のＣＴ室(21)の中を目視できるようにするための窓(鉛入りガラス26)と、を備える。
【００１８】
（作用）
Ｘ線ＣＴ装置(30)による検査を受けるべき被検査者や、線ＣＴ装置(30)を操作する操作者は、出入り口（横扉29）からコンテナ(20)内へ出入りする。前記の被検査者は、操作室(23)から扉（鉛入り扉25）を使ってＣＴ室(21)へ出入りする。
前記の操作者は、窓(鉛入りガラス26)からＣＴ室(21)の中にいる被検査者を目視することができる。
【００１９】
（第一の発明のバリエーション４）
第一の発明における前記バリエーション３は、以下のように形成すると、より好ましい。
すなわち、前記のスキャナ本体(31)は、前記の遮蔽壁(24)から遠い側に位置するように設置するのである。
【００２０】
スキャナ本体(31)は、前記の遮蔽壁(24)から遠い側に位置するように設置されていると、結果として寝台(32)が遮蔽壁(24)に近い位置に設置されていることとなる。そのため、被検査者は、操作室(23)から検査を受けるためにＣＴ室(21)へ移動する場合の移動距離が短くなる。
【００２１】
（第一の発明のバリエーション５）
第一の発明における前記バリエーション４は、以下のように形成すると、より好ましい。
すなわち、コンテナ(20)におけるＣＴ室(21)に対応する側壁には、スキャナ本体(31)に相当する位置へ、観音開きとなるメンテナンス用扉(27)を備える。
【００２２】
（作用）
ＣＴ室(21)において最も大きな部材であるスキャナ本体(31)は、コンテナ(20)における長手方向に垂直な断面形状に対して、余裕があまりない状態で配置されている。したがって、Ｘ線ＣＴ装置(30)にメンテナンスの必要が生じた場合などにおいては、メンテナンス作業がしにくい。
メンテナンス用扉(27)を備えたことで、メンテナンス作業のしやすい状態をつくり出すことができた。観音開きであるので、スキャナ本体(31)に干渉するおそれがなく、引き戸ではないので、ＣＴ室(21)の内部空間を狭めることもない。
【００２３】
（第一の発明のバリエーション６）
第一の発明に係る医療用コンテナは、前記のＸ線ＣＴ装置(30)が取得した画像データを遠隔地へ送信可能なデータ送信装置を備えると、より好ましい。
「遠隔地」とは、本発明に係る医療用コンテナと物理的に離れた場所にあることを意味する。例えば、本発明に係る医療用コンテナの操作室に医師がいない場合、Ｘ線ＣＴ装置(30)が取得した画像データを見て診断などをすることができる医師がいる病院が「遠隔地」となる。
【００２４】
（作用）
Ｘ線ＣＴ装置(30)が取得した画像データは、データ送信装置が遠隔地へ送信する。これによって、本発明に係る医療用コンテナと物理的に離れた場所にいる医師が、送信された画像データを見て診察をするなどのことが可能となる。結果として、医師が本発明に係る医療用コンテナのある場所へ移動しなくて済む、ということとなる。
【００２５】
（第一の発明のバリエーション７）
前述した第一の発明のバリエーション６は、以下のように形成すると、より好ましい。
すなわち、  前記のＣＴ室、電源室および操作室には、各室の気温や湿度などの環境データを取得可能な環境監視装置と、  前記のＣＴ室、電源室および操作室における少なくとも気温を変更可能な空気調和機と、を備え、  前記のデータ送信装置は、前記の環境データをも遠隔地へ送信可能とするのである。
なお、ここでの「遠隔地」は、バリエーション６の「遠隔地」と異なっていても良いし、同じでも良い。
【００２６】
（作用）
環境監視装置は、ＣＴ室、電源室および操作室における各室の気温や湿度などの環境データを取得する。そして、取得した環境データを、データ送信装置にて遠隔地へ送信する。
ＣＴ室、電源室および操作室における気温を空気調和機が変更可能であるので、空気調和機の操作指示を遠隔地から連絡したり、空気調和機を遠隔地から直接操作したりすることができる。
【００２７】
（第一の発明のバリエーション８）
第一の発明に係る医療用コンテナは、前記のＸ線ＣＴ装置(30)を遠隔地から操作可能な操作データを受信可能な操作データ受信装置を備えることとすれば、より好ましい。
なお、ここでの「遠隔地」もまた、バリエーション６の「遠隔地」と異なっていても良いし、同じでも良い。
また、「操作データ」は、Ｘ線ＣＴ装置(30)のほか、前述の空気調和機、発電機(40)などを操作するためのデータを含むこととしても良い。
【００２８】
遠隔地からＸ線ＣＴ装置を操作するための操作データが送信された場合、その操作データは操作データ受信装置が受信する。そして、その操作データによって、Ｘ線ＣＴ装置を遠隔地から操作することができる。
【発明の効果】
【００２９】
第一の発明によれば、自在な移動性（運搬性）を確保しつつ、Ｘ線ＣＴ装置を独立して作動させることができる設備を提供することができた。
【図面の簡単な説明】
【００３０】
【図１】本発明の実施形態に係るコンテナおよびそのコンテナを積載したトレーラの右側面図である。
【図２】本発明の実施形態に係るコンテナおよびそのコンテナを積載したトレーラの左側面図である。
【図３】本発明の実施形態に係るコンテナおよびそのコンテナを積載したトレーラの透視斜視図である。
【図４】本発明の実施形態に係るコンテナの平面図である。
【図５】本発明の実施形態に係るコンテナおよびＸ線ＣＴ装置におけるスキャナ本体を示す正面図である。
【図６】本発明の実施形態に係るコンテナと遠隔地にある病院との関係を示す概念図である。
【図７】本発明の実施形態に係るコンテナと遠隔地にある病院との関係を示す概念図である。
【図８】本発明の実施形態に係るコンテナと遠隔地にある病院との関係を示す概念図である。
【発明を実施するための形態】
【００３１】
本発明の実施形態について、図面を参照させながら説明する。ここで使用する図面は、図１から図８である。
図１および図２に示すように、この実施形態は、トレーラ１０へ積載可能な医療用コンテナである。
【００３２】
コンテナ２０としては、４０ｆｔ型と呼ばれるＩＳＯ規格の海上コンテナを採用した。「４０ｆｔ」とは、全長が４０フィート（１２．１９２メートル）であることを意味している。また、幅寸法は２．４３８メートル、高さ寸法は約２．３メートルである。  このサイズであれば、陸上、海上の輸送が可能であり、航空機やヘリコプターでの輸送も可能である。
ただし、本願発明が４０ｆｔ型のコンテナに限るということではない。
【００３３】
図３に示すように、コンテナ２０は、Ｘ線ＣＴ装置３０を内装するＣＴ室２１と、そのＸ線ＣＴ装置３０を含めた各種の内装機器に対する電源となる発電機４０を内装する電源室２２と、その電源室２２および前記のＣＴ室２１に挟まれた位置に操作室２３と、を備える。
【００３４】
本実施形態においては、ＣＴ室２１の長さ寸法を５．３メートル、電源室２２の長さ寸法を３．２メートル、操作室の長さ寸法を約３．５５メートルとした。
ＣＴ室２１と電源室２２との間に操作室２３を配置することが最も合理的である。電源室２２にて発生する音や振動がＣＴ室２１へ到達するのを、操作室２３の存在によって緩和できるからである。
【００３５】
このコンテナ２０がトレーラ１０へ装着される場合、トレーラの運転席側（前側）には電源室２２が位置し、ＣＴ室２１が最後尾となる。最後尾となるコンテナ２０の面は、説明の便宜上、後面２０Ａとする。この後面２０Ａには、４０ｆｔ型のコンテナの場合、内部空間へ収納する荷物を積み卸しするための観音開きの扉が標準で設けられている。
なお、Ｘ線ＣＴ装置３０の搬入は、前述の扉からも可能であるが、後述するメンテナンス用扉２７から行う。
【００３６】
後面２０Ａには、ＣＴ室２１に備えられる空気調和機（エアコン）の室外機３９を固定する。コンテナ２０がトレーラ１０へ装着された場合でも、空気調和機（エアコン）の室外機３９の突出は、公道を運転しても問題ないからである。
ただし、この室外機３９は、本実施形態に係る医療用コンテナ２０をトレーラ１０以外の輸送手段（たとえば、船）にて輸送する場合には取り外してコンテナ２０の内部へ収納する。
【００３７】
ＣＴ室２１と操作室２３との間は、鉛入り壁２４によって仕切られている。操作室２３へのＸ線浸入を遮断するためである。なお、鉛入り壁２４には、患者（被検査者）などがＣＴ室２１への出入りができるようにするための鉛入り扉２５と、操作者や医者などがＣＴ室２１の中を目視できるようにするための鉛入りガラス２６とが備えられている。
【００３８】
電源室２２と操作室２３との間は、グラスウールなどを内装することによって遮音性能を高めた防音壁２８によって仕切られている。発電機４０が発する騒音が、操作室２３やＣＴ室２１へ伝わることをできる限り抑制することに寄与している。
また、電源室２２、操作室２３には、図２に示すように換気扇５０を備えており、ＣＴ室２１にも図示を省略しているが換気扇を備えている。
【００３９】
電源室２２および操作室２３には、コンテナ２０の内部への機器などの搬入、患者（被検査者）や医者など人間の出入りのための横扉２９が備えられている。
また、操作室２３における横扉２９には、人間の出入りのために、踊り場付きの階段６０を装着して固定することが可能である。この階段６０は、折りたたんでコンテナ２０内への収納、またはコンテナの屋根面２０Ｂなどへの収納が可能である。そのため、輸送時には邪魔にならず、輸送後に組み立てて使用することが可能である。
【００４０】
本実施形態では、前記の横扉２９は、トレーラ１０へコンテナ２０が設置された場合に左側へ位置するようにしている。これは、車両が道路を左側通行する日本や英国などで使用することを想定した実施形態である。北米、南米やヨーロッパ大陸などなど使用することを想定した実施形態であれば、前記の横扉２９は、トレーラ１０へコンテナ２０が設置された場合に右側へ位置させることが好ましい。
【００４１】
Ｘ線ＣＴ装置３０は、検査を受ける患者（被検査者）が横たわる寝台３２の長手方向がコンテナ２０の長手方向と一致するように、寝台３２およびスキャナ本体３１が設置されている。Ｘ線ＣＴ装置３０のシステムトランス３５もＣＴ室２１に設置されている。
【００４２】
スキャナ本体３１は、後述するＣＴ室の内寸幅寸法に収まるように、横幅寸法が２０７０ミリメートル（高さ寸法は１９２０ミリメートル）の製品を採用した。
寝台３２は、そこへ横たわる患者（被検査者）をＣＴ室２１における長手方向に沿って動かすことでスキャナ本体３１に対して往復移動する。それによって、スキャナ本体３１は患者の患部をスキャニングする。
【００４３】
操作室２３には、Ｘ線ＣＴ装置３０を操作するための操作コンソール３４を備えており、その操作コンソール３４を操作者が操作確認しやすい高さにするためのデスク３３が鉛入り壁２４側へ設置されている。また、操作コンソール３４には、スキャナ本体３１が取得したＸ線データをデジタル画像として処理するデータ処理装置（コンピュータ）を備えている。
鉛入り壁２４におけるＣＴ室２１側には、寝台３２に横たわる患者（被検査者）を映し出すための患者（被検査者）モニタカメラ３７が備えられている。また、患者（被検査者）と操作者または医者との会話をするため、スピーカおよびマイク（図示は省略）がＣＴ室２１および操作室２３に備えられている。
【００４４】
前記のＣＴ室２１は、前記の遮蔽壁２４以外の五面もＸ線の遮蔽が可能な遮蔽壁で覆われている。たとえば、ＣＴ室の内寸幅寸法は、２１７８ミリメートルとなった。Ｘ線を遮蔽するための鉛板を内装したためである。
【００４５】
また、詳細な図示は省略しているが、前記ＣＴ室２１の内壁の隅は、曲面を形成するように製造されている。具体的には、抗菌防カビ性、耐薬品性、耐衝撃性、耐動荷重性に優れた合成樹脂製の床材を、床面から壁面側へ連続させて1メートルほど立ち上げることで、内壁の隅に曲面（半径５〜１０ミリメートル程度）を形成している。
このため、ＣＴ室２１の内壁の隅は角張っておらず、曲面となっている。そのため、清掃がしやすく、清掃後にも早く乾燥する。そのため、雑菌の繁殖を抑制しやすく、感染症の原因を減らすことに寄与している。
【００４６】
本実施形態によれば、電源室２２に発電機４０を備えており、ＣＴ室２１にてＸ線ＣＴ装置３０を設置し、操作室２３にＸ線ＣＴ装置３０を操作するための操作コンソール３４を設置している。  発電機４０から電気エネルギをＸ線ＣＴ装置３０へ供給して作動させることで、Ｘ線ＣＴ装置３０を外部電源に頼ることなく独立して作動させることができる。
【００４７】
Ｘ線ＣＴ装置３０を外部電源に頼ることなく独立して作動させることができるので、このコンテナ２０を輸送した場所において、Ｘ線ＣＴ装置３０を用いた検査が可能である。たとえば、災害地、紛争地帯などへ海路、陸路にて輸送したり、空輸したりすることができる。
なお、前述した発電機４０は、Ｘ線ＣＴ装置３０や各部屋の空気調和機を稼働させても余力がある程度の発電性能を備えたものを採用している。このため、本実施形態に係るコンテナ２０の外部に対しても電気を供給することができる。
【００４８】
図３に示すように、スキャナ本体３１は、その停止時に遮蔽壁２４から遠い側に位置するように設置されている。そのため、寝台３２が遮蔽壁２４に近い位置に設置されている。これによって被検査者は、操作室２３から検査を受けるためにＣＴ室２１へ移動する場合の移動距離が短くて済むという合理的な配置となる。
【００４９】
図３および図４に示すように、コンテナ２０におけるＣＴ室２１に対応する側壁には、スキャナ本体３１の停止時に相当する位置へ、観音開きとなるメンテナンス用扉２７を備えている。これによって、ＣＴ室２１に設置された機器のメンテナンス作業のしやすい状態をつくり出すことができた。観音開きであるので、スキャナ本体３１に干渉するおそれがなく、引き戸構造ではないので、ＣＴ室２１の内部空間を狭めることもない。
【００５０】
図６から図８は、医療用のコンテナ２０と、そのコンテナ２０とは物理的に離れた遠隔地（病院）との間で、どのようなデータがやり取りされているかを示した概念図である。
【００５１】
Ｘ線ＣＴ装置３０におけるスキャナ本体３１が、患者の患部のＸ線データを取得し、操作コンソール３４の一部であるデータ処理装置によって、デジタル画像データが作成されることは、これまでの説明と同じである。
図６は、そのデジタル画像データを、データ送信装置および公衆通信網を介して、遠隔地にある病院へ送信する様子を示す。送信されたデジタル画像データは、病院にあるデータ受信装置が受信し、病院にある画像出力装置へ出力させる。
【００５２】
コンテナ２０からは離れた病院にいる医師は、画像出力装置へ出力された患者の患部のデジタル画像データを見て診察をすることが可能となる。結果として、その医師は、このコンテナ２０のある場所へ移動しなくて済む、ということとなる。
【００５３】
図７は、図６に示したデータ送信装置およびデータ受信装置とは別に、電話回線を通じて、病院にいる医師とコンテナ２０におけるＸ線ＣＴ装置３０の操作者とが、電話で連絡を取っている様子を示している。
データ送信装置およびデータ受信装置は、公衆通信網の混み具合、送信されるデジタル画像データの容量などによって、送信速度が極めて遅くなるような事態が生じる。また、画像出力装置にて出力されたデジタル画像データを見た医師が、別のデジタル画像データをリクエストしたい、といった事態も生じる。
【００５４】
そのような事態に素早く対応するには、医師と操作者とが直接会話をするのが一番的確で速い。そのような場合には、デジタル画像データを送信する際に使う公衆通信網とは別の、電話回線を使って電話をすることが望ましい。そのため、公衆通信網とは別の、電話回線にて通話が可能な電話をコンテナおよび病院にて確保しておくこととなる。
【００５５】
図８には、図３などで示したＣＴ室、電源室および操作室には、各室の気温や湿度などの環境データを取得可能な環境監視装置を備え、ＣＴ室、電源室および操作室の各部屋に空気調和機（エアコン）を備え、その空気調和機を含めたコンテナにおける各種機器を遠隔操作可能としている状態を示している。
【００５６】
環境監視装置が取得した環境データは、デジタル画像データと同じように病院へ送信する。この図８では、デジタル画像データを送信するためのデータ送信装置を介して送信することとして図示しているが、前記のデータ送信装置とは別のデータ送信装置（たとえば環境監視装置へ内蔵されたデータ無線送信機）を介して送信することとしてもよい。
【００５７】
図４において患者モニタカメラ３７について説明したが、この患者モニタカメラ３７が取得した動画データや音声データを、遠隔地である病院の画像出力装置へ出力させることとしている。更に、病院にマイクを設置し、そのマイクはコンテナにおけるＣＴ室に備えられたスピーカへ、当該マイクが拾った音声データを出力させることができるようにしている。
なお、前記の患者モニタカメラ３７やマイクは、データ無線送信機を内蔵していることとする。
【００５８】
このような構成を備えることで、ＣＴ室に入った患者と、遠隔地の病院にいる医師とがコミュニケーションを取れるようにしている。もちろん、操作室にいる操作者が、患者モニタカメラ３７やスピーカを介してコミュニケーションを取れる状態を確保している。
【００５９】
この図８では、コンテナに備えられた空気調和機、スキャナ本体、データ処理装置、データ送信装置などを操作するための操作データを送信するための操作データ送信装置を、病院側に備えている。また、その操作データ送信装置が送信した操作データを受信し、その操作データを空気調和機、スキャナ本体、データ処理装置、データ送信装置に対して送り込むための操作データ受信装置を、コンテナ側に備えている。
【００６０】
たとえば、環境データを病院側で出力させてチェックしていたり、患者モニタカメラを介して患者からリクエストがあったりしたような場合に、ＣＴ室の空気調和機による温度設定を変更する操作データを送信し、ＣＴ室の気温をコントロールすることができる。
また、医師が希望するデジタル画像データを病院側にて出力させるために、スキャナ本体、データ処理装置、データ送信装置のいずれかまたは全部を操作する操作データを送信し、希望するデジタル画像データを得ることもできる。
【産業上の利用可能性】
【００６１】
コンテナの製造業、コンテナを用いた運搬業、医療機器の製造業、医療機器のメンテナンス業、医療機器やトレーラのレンタル業、などにおいて利用可能性を有する。
【符号の説明】
【００６２】
１０  ；トレーラ
２０  ；コンテナ（４０ｆｔ型）              ２０Ａ；後面
２０Ｂ；屋根面
２１  ；ＣＴ室                              ２２  ；電源室
２３  ；操作室                              ２４  ；鉛入り壁
２５  ；鉛入り扉                            ２６  ；鉛入りガラス
２７  ；メンテナンス用扉                    ２８  ；防音壁
２９  ；横扉
３０  ；Ｘ線ＣＴ装置                        ３１  ；スキャナ本体
３２  ；寝台                                ３３  ；コンソールデスク
３４  ；操作コンソール（データ処理装置）    ３５  ；システムトランス
３７  ；患者モニタカメラ                    ３９  ；エアコン室外機
４０  ；発電機
５０  ；換気扇
６０  ；後付け階段
【図１】
0006494450.tif 000002
【図２】
0006494450.tif 000003
【図３】
0006494450.tif 000004
【図４】
0006494450.tif 000005
【図５】
0006494450.tif 000006
【図６】
0006494450.tif 000007
【図７】
0006494450.tif 000008
【図８】
0006494450.tif 000009